(57)【要約】【課題】防雪柵に対して垂直に吹き付ける横風のみならず、斜め方向から吹き付ける横風に対しても、路面への積雪や降雪時の視程障害を防止できる吹き払い式防雪柵を提供する。【解決手段】防雪柵１０に取り付けられた風向器２により検知された風向に応じて防雪板１を動作させることで、防雪柵１０に吹き付ける横風が吹き付ける方向に係わらず、横風が防雪板１により下方に導かれる角度を常時防雪柵１０が効果を発揮する６０度程度に調整できることで吹き払い効果を維持し、路面への積雪や降雪時の視程障害を防止することができる。【選択図】図１
2004124444.tif 000002
【特許請求の範囲】
【請求項１】
道路側縁に設置され、傾斜させた防雪板を支柱により支持し、風の流れを下方に導いて路面近傍に集中させることで路面への積雪を防止する防雪柵であって、防雪板は風向に応じてその傾斜角度が変更可能となされることを特徴とする吹き払い式防雪柵。
【請求項２】
道路側縁に設置され、傾斜させた防雪板を支柱により支持し、風の流れを下方に導いて路面近傍に集中させることで路面への積雪を防止する防雪柵であって、防雪板はその長手方向と道路とがなす角度が変更可能となされたことを特徴とする吹き払い式防雪柵。
【請求項３】
道路側縁に設置され、傾斜させた防雪板を支柱により支持し、風の流れを路面付近に集中させることで路面への積雪を防止する防雪柵であって、防雪板に、防雪板の長手方向と直交する方向に延びる整流板が設けられたことを特徴とする吹き払い式防雪柵。
【請求項４】
道路側縁に設置され、傾斜させた防雪板を支柱により支持し、風の流れを路面付近に集中させることで路面への積雪を防止する防雪柵であって、防雪板は屈曲部が設けられて複数の傾斜角度を有するもので、屈曲部の横風到来側の傾斜角度が大きくなされていることを特徴とする吹き払い式防雪柵。
【請求項５】
防雪板は、屈曲部を挟んで少なくともいずれか一方の傾斜角度が変更可能であることを特徴とする請求項４に記載の吹き払い式防雪柵。
【請求項６】
道路側縁に設置され、傾斜させた防雪板を支柱により支持し、風の流れを路面付近に集中させることで路面への積雪を防止する防雪柵であって、防雪板は複数枚重ねられたものであり、前記複数枚の防雪板の内、少なくとも一枚が動作可能となされていることを特徴とする吹き払い式防雪柵。
【発明の詳細な説明】
【０００１】
【発明の属する技術分野】
本発明は、道路側縁に設置され、降雪時に道路に吹き付ける横風を下方に導くことで、路面への積雪及び降雪による視程障害を防止する吹き払い式の防雪柵に関するものである。
【０００２】
【従来の技術】
防雪板を傾斜させて道路側縁に沿って設けて、道路に吹き付ける横風を下方に導き、いわゆる吹き払い効果により路面への積雪や雪による視程障害を防止する吹き払い式の防雪柵は、特開昭５７−１８７４０７号公報の従来技術として示されている如く公知のものである。
【０００３】
図１３は、従来の防雪柵を用いた場合に得られる効果を示す側面図であり、防雪柵１０に設けられた防雪板１により横風を下方に導いて、道路Ｒの路面に風の加速域Ｋと減速域Ｇを作り出し、路面に積もろうとする雪Ｓを吹き飛ばすと共に、加速域Ｋに集中的に降雪を通過させることで、他の部分に視程障害が発生するのを防止する。既往の研究において、路面に対しての角度が５５〜６５度で下方に風が導かれることで高い効果が得られることが示されており、吹き払い式の防雪柵は通常防雪板を路面と６０度程度の傾斜角度として設置している。
【０００４】
図１４は、図１３に示した６０度に防雪板１を取り付けた防雪柵１０に、方向αから垂直に横風が吹き付けた場合の風速を示す流体シミュレーションの結果を示すものである。領域Ａは３ｍ／ｓ以上の風、領域Ｂは２〜３ｍ／ｓの風、領域Ｃは１〜２ｍ／ｓの風、それ以外の領域は１ｍ／ｓ未満の風が、方向αから吹いている状態を示すものである。本図から、防雪板１が横風を下方に導いていることで、道路Ｒの路面近傍は風速３ｍ／ｓ以上の高い風速の領域が形成されて吹き払い効果が発揮され、雪が吹き飛ばされると共に路面近傍に雪を通過させると共に、車両の運転者の視線の高さを風と共に通過する雪を減少させ、視程障害が軽減される状態が示されている。
【０００５】
【特許文献１】
特開昭５７−１８７４０７号公報
【０００６】
【発明が解決しようとする課題】
しかしながら、図１５に示す如く防雪柵１０の防雪板１に垂直に吹き付ける横風Ｗ１は６０度の角度となされた防雪板１の上面又は下面を垂直に通過して下方に導かれ、約６０度の角度であるθ１で下方に導かれることとなるが、斜め方向の角度θ２から斜めの横風Ｗ２が吹き付けたときには、風は防雪板１の上面又は下面を斜めに通過することとなり、結果として下方に導かれる風の角度は６０度より浅い角度であるθ３となる。上述の如く、路面に対しての角度が５５〜６５度で下方に風が導かれることで防雪柵１０は吹き払い効果が得られるものであり、風の流れを利用するものであることから、前記の範囲を外れ風の流れが変わると得られる効果は急激に低下する。
【０００７】
図１６は、図１３に示した６０度に防雪板を取り付けた防雪柵に、角度θ２が３０度の角度である場合の風速を示す流体シミュレーションの結果を示すものである。図１１に示した場合と比較して、領域Ｒ１及び領域Ｒ２の付近で強い風が上方まで吹き上がることが示されており、これらの領域で運転者の視界が雪により妨げられて視程障害が発生する恐れがあることが判る。また、風速３ｍ／ｓ以上である領域Ａの面積も図１４に示したものより小さくなっており、吹き払い効果が低下していることも示されている。
【０００８】
そこで本発明は、防雪柵に対して垂直に吹き付ける横風のみならず、斜め方向から吹き付ける横風に対しても、路面への積雪や降雪時の視程障害を防止できる吹き払い式防雪柵を提供せんとするものである。
【０００９】
【課題を解決するための手段】
上記課題を解決するために、本発明は以下のような構成としている。すなわち、本発明に係わる吹き払い式は、道路側縁に設置され、傾斜させた防雪板を支柱により支持し、風の流れを下方に導いて路面近傍に集中させることで路面への積雪を防止する防雪柵であって、防雪板は風向に応じてその傾斜角度が変更可能となされることを特徴とする吹き払い式防雪柵。
【００１０】
本発明によれば、防雪柵に吹き付ける横風が吹き付ける風向に応じて防雪板の傾斜角度を変更可能とすることで、横風が下方に導かれる角度を常時防雪柵が効果を発揮する６０度程度に調整でき、吹き払い効果を維持し、路面への積雪や降雪時の視程障害を防止することができる。
【００１１】
また本発明に係わる吹き払い式防雪柵は、道路側縁に設置され、傾斜させた防雪板を支柱により支持し、風の流れを下方に導いて路面近傍に集中させることで路面への積雪を防止する防雪柵であって、防雪板はその長手方向と道路とがなす角度が変更可能となされたことを特徴とするものである。
【００１２】
本発明によれば、斜め方向から吹き付ける横風に対し、防雪板の長手方向と道路とがなす角度を変更し、防雪板に横風が垂直となるようにすることで、横風が下方に導かれる角度は常時６０度程度となり、吹き払い効果を維持して路面への積雪や降雪時の視程障害を防止することができる。
【００１３】
また本発明に係わる吹き払い式防雪柵は、道路側縁に設置され、傾斜させた防雪板を支柱により支持し、風の流れを路面付近に集中させることで路面への積雪を防止する防雪柵であって、防雪板に、防雪板の長手方向と直交する方向に延びる整流板が設けられたことを特徴とするものである。
【００１４】
本発明によれば、整流板により斜め方向からの横風が防雪板と直交する方向に整流され、防雪板の傾斜角度である６０度前後の角度で下方に導かれるようになり、吹き払い効果を維持して路面への積雪や降雪時の視程障害を防止することができる。
【００１５】
更にまた、本発明に係わる吹き払い式防雪柵は、道路側縁に設置され、傾斜させた防雪板を支柱により支持し、風の流れを路面付近に集中させることで路面への積雪を防止する防雪柵であって、防雪板は屈曲部が設けられて複数の傾斜角度を有するもので、屈曲部の横風到来側の傾斜角度が大きくなされていることを特徴とするものである。
【００１６】
本発明によれば、防雪柵と垂直方向からの横風は、防雪板の複数の傾斜角度の内、屈曲部より道路側の傾斜角度の部位により路面と６０度程度の角度で下方に導かれる。斜め方向からの横風は、屈曲部の横風到来側の傾斜角度が大きくなされた部位で路面と６０度程度の角度で下方に導かれることで、防雪柵に当たる横風の角度に係わらず路面への積雪や降雪時の視程障害を防止することができる。
【００１７】
更にまた、本発明に係わる吹き払い式防雪柵は、道路側縁に設置され、傾斜させた防雪板を支柱により支持し、風の流れを路面付近に集中させることで路面への積雪を防止する防雪柵であって、防雪板は複数枚重ねられたものであり、前記複数枚の防雪板の内、少なくとも一枚が動作可能となされていることを特徴とするものである。
【００１８】
本発明によれば、重ねられた複数枚の防雪板の内、少なくとも一枚の防雪板が動作可能となされることで、防雪板により斜め方向からの横風の流れをより垂直方向に是正する度合いを大きくし、吹き払い効果を高めることができる。
【００１９】
【発明の実施の形態】
本発明に係わる実施の形態について、図面に基づき以下に具体的に説明する。図１は、本発明に係わる吹き払い式防雪柵の一例を示す説明図である。防雪柵１０は、二本の支柱３間に防雪板１が路面と約６０度の傾斜角度で傾斜させて、四段に設置されており、かかる防雪板１により方向αから到来する横風を下方に導いて道路Ｒの路面近傍を通過させることで、路面への積雪や降雪時の視程障害を防止するものである。一方の支柱３の上端には風向器２が設けられ、風向器２によって検知された風向きに応じて防雪板１を動作させることで、防雪板１から風の流れが下方に導かれる角度を一定となるようにするものである。
【００２０】
図２は本発明に係わる実施の一形態を示す説明図である。風向器２により垂直に対し角度θ２の斜め方向からの横風Ｗ２が検知されると、その風向に応じて防雪板１は矢印の方向Ｙ１に動作することで、道路Ｒの路面に対する防雪板１の傾斜角度が大きいものとなされ、斜め方向からの横風は結果的に防雪板１により約６０度の角度θ１で下方に導かれ、防雪柵１０の吹き払い効果は維持される。
【００２１】
図３は、本発明に係わる他の実施形態を示す説明図である。風向器２が斜め方向からの横風Ｗ２を検知すると、一方の支柱３Ａを軸として他方の支柱３Ｂが矢印Ｙ２の方向に動き、防雪板１が横風Ｗ２を垂直方向に受けるように動作することで、防雪板１から下方に導かれる風の流れは約６０度の角度θ１で下方に導かれ、防雪柵１０の吹き払い効果は維持される。
【００２２】
また、防雪板１は図４に示す如き方法で動作させてもよい。防雪板１の中央付近に一本の支柱３が貫通して設けられ、風向器２が斜め方向からの横風Ｗ２を検知すると、支柱３が矢印Ｙ３の方向に回転する如く動き、防雪板１が横風Ｗ２を垂直方向に受けるように動作することで、防雪板１から下方に導かれる風の流れは約６０度の角度θ１で下方に導かれ、防雪柵１０の吹き払い効果は維持される。
【００２３】
図５及び図６は、本発明に係わる吹き払い式防雪柵の、更に他の実施形態を示すもので、図５は斜視図、図６はそのＡ−Ａ断面図である。図５において、防雪柵１０は二本の支柱３間に防雪板１が取り付けられ、更に防雪板１には防雪板１の長手方向と直交する方向に延びる整流板４が取り付けられたものである。かかる整流板４により、角度θ２の斜め方向から到来する横風Ｗ２は流れが垂直方向に変えられ、防雪板１により下方に導かれる角度が約６０度の角度θ１となされる。
【００２４】
図６において、垂直方向からの横風Ｗ１は整流板４に妨げられることなく道路Ｒの方向に吹き抜けることができる。また角度θ２の斜め方向から到来する横風Ｗ２は、整流板４に当たって風の流れが垂直方向が変えられ、防雪板１に沿って下方に導かれることで防雪板１からの風の流れは前図の如く約６０度の角度θ１となされ、以て防雪柵１０の吹き払い効果は維持される。更に整流板４は既設の防雪柵に取り付けて、斜め方向からの風に対する吹き払い効果を具備させることも可能である。
【００２５】
整流板４は、単なる平板を用いてもよいが、本実施形態の如く、下端に向かってその幅が小さくなされてゆくものが防雪板１に当たる風の流れを円滑にでき好ましい。また整流板４は図７に示す如く、防雪板１のやや上方に回動可能に軸４１により軸着したものであってもよい。側面図イ）に示す如く、距離ａ＞距離ｂとしておくことで、整流板４は回動した後も元の位置に戻ることができる。距離ａ：距離ｂは、１：２程度が好ましい。また上断面図ロ）に示す如く、角度θ２の斜め方向からの横風Ｗ２が整流板４により整流される場合においても、整流板４が矢印Ｙ４またはその逆の方向に回動することで、整流板が固定されている場合より広い範囲で角度θ２の変化に対応して防雪柵１０の効果を維持することができる。
【００２６】
図８及び図９は、本発明に係わる吹き払い式防雪柵の、更に他の実施形態を示すもので、図８は斜視図、図９はそのＡ−Ａ断面図を示すものである。図８において、防雪柵１０は二本の支柱３間に防雪板が傾斜されて設けられたものであるが、防雪板１の長手方向には屈曲部１１が設けられ、防雪板１の傾斜角度は屈曲部１１を境に変わることで複数の傾斜角度を有するものとなされている。また傾斜角度は、横風の到来方向α側のほうが道路Ｒ側より大きなものとなされている。
【００２７】
かかる防雪柵１０に横風が吹き付けると、図９に示す如く垂直方向からの横風Ｗ１は、道路Ｒ側の傾斜角度θ４の面に当たることで、防雪板１から下方に導かれる風の流れは角度θ１となる。斜め方向からの横風Ｗ２が防雪板１に当たると、横風到来方向α側の傾斜角度θ５の面に当たり、そのまま下方に導かれることで防雪板１から下方への風の流れは角度θ３となる。ここで傾斜角度はθ５＞θ４である。横風Ｗ２が斜め方向からの風であれば、角度θ３は実質的に小さくなり、結果として角度θ１程度となって防雪柵１０による吹き払い効果は発揮される。
【００２８】
ここで、角度θ４は６０度程度とするのが好ましいのはいうまでもないが、角度θ５は横風の到来する風向や風速に応じて適宜決定してよく、通常の使用状況においては７０度程度が好適である。
【００２９】
図１０は、図９に示した実施形態の、変形の形態を示す側面図である。防雪柵１０の防雪板１に設けられた屈曲部１１が矢印Ｙ５の方向に回動可能となされ、防雪板１は屈曲部１１を挟んで少なくともいずれか一方の傾斜角度が変更可能となされているものである。また傾斜角度の変更は、風向器等による風向、風速に応じて行うものであってもよい。
【００３０】
かかる構造により防雪板１の傾斜角度を最適なものとすると共に防雪板１が横風を受ける面積を極大化し、効率よく横風を下方に導くことができる。
【００３１】
図１１及び図１２は、本発明に係わる更に他の実施形態を示すもので、防雪板は複数枚重ねられたもので、複数枚の防雪板の内、少なくとも一枚が動作可能となされているものである。本実施形態においても、防雪板の動作は風向器等による風向、風速に応じて行うものであってもよい。図１１においては、防雪板１は防雪板１ａ及び１ｂの２枚が重ねられて形成され、かかる防雪板１が縦方向に４段に設けられている。防雪板１ａ及び１ｂの内、防雪板１ｂが矢印Ｙ６の方向に動作して、防雪板１の斜め方向からの横風Ｗ２を受ける面積が大きくなされる。
【００３２】
かかる構造とすることで、斜め方向からの横風Ｗ２が防雪板１に当たる距離を大きくでき、防雪板１に当たった風の方向を、斜め方向からより垂直方向に是正し吹き払い効果を高めることができる。
【００３３】
更に図１２においては、防雪板１は防雪板１ａ及び１ｂの２枚が重ねられて形成され、防雪板１ａ及び１ｂの内、防雪板１ｂが矢印Ｙ７の方向に動作することで、斜め方向からの横風Ｗ２が吹き抜ける防雪板１同士の間隔を狭くしている。
【００３４】
かかる構造とすることで、防雪板１同士の間隔を吹き抜ける風の量を少なくし、防雪板１に接触する風の割合を大きくすることで、斜め方向からの横風Ｗ２をより垂直方向に是正し、吹き払い効果を高めることができる。
【００３５】
【発明の効果】
請求項１に記載の、本発明に係わる吹き払い式防雪柵によれば、防雪柵に吹き付ける横風が吹き付ける風向に応じて防雪板の傾斜角度を変更可能とすることで、横風が下方に導かれる角度を常時防雪柵が効果を発揮する６０度程度に調整でき、吹き払い効果を維持し、路面への積雪や降雪時の視程障害を防止することができる。
【００３６】
請求項２に記載の、本発明に係わる吹き払い式防雪柵によれば、斜め方向から吹き付ける横風に対し、防雪板の長手方向と道路とがなす角度を変更し、防雪板に横風が垂直となるようにすることで、横風が下方に導かれる角度は常時６０度程度となり、吹き払い効果を維持して路面への積雪や降雪時の視程障害を防止することができる。
【００３７】
請求項３に記載の、本発明に係わる吹き払い式防雪柵によれば、整流板により斜め方向からの横風が防雪板と直交する方向に整流され、防雪板の傾斜角度である６０度前後の角度で下方に導かれるようになり、吹き払い効果を維持して路面への積雪や降雪時の視程障害を防止することができる。
【００３８】
請求項４に記載の、本発明に係わる吹き払い式防雪柵によれば、防雪柵と垂直方向からの横風は、防雪板の複数の傾斜角度の内、屈曲部より道路側の傾斜角度の部位により路面と６０度程度の角度で下方に導かれる。斜め方向からの横風は、屈曲部の横風到来側の傾斜角度が大きくなされた部位で路面と６０度程度の角度で下方に導かれることで、防雪柵に当たる横風の角度に係わらず路面への積雪や降雪時の視程障害を防止することができる。
【００３９】
請求項６に記載の、本発明に係わる吹き払い式防雪柵によれば、重ねられた複数枚の防雪板の内、少なくとも一枚の防雪板が動作可能となされることで、防雪板により斜め方向からの横風の流れをより垂直方向に是正する度合いを大きくし、吹き払い効果を高めることができる。
【図面の簡単な説明】
【図１】本発明に係わる吹き払い式防雪柵の、実施の一例を示す説明図である。
【図２】本発明に係わる実施の一形態を示す説明図である。
【図３】本発明に係わる他の実施形態を示す説明図である。
【図４】本発明に係わる更に他の実施形態を示す説明図である。
【図５】本発明に係わる更に他の実施形態を示す説明図である。
【図６】図５に示した実施形態のＡ−Ａ断面図である。
【図７】本発明に係わる整流板の、他の実施形態を示す説明図である。
【図８】本発明に係わる更に他の実施形態を示す説明図である。
【図９】図８に示した実施形態のＡ−Ａ断面図である。
【図１０】本発明に係わる更に他の実施形態を示す側面図である。
【図１１】本発明に係わる更に他の実施形態を示す側面図である。
【図１２】本発明に係わる更に他の実施形態を示す側面図である。
【図１３】従来の吹き払い式防雪柵による吹き払い効果を表す側面図である。
【図１４】図１３に示した防雪柵を用いた場合の、風の流れのシミュレーションを示すグラフである。
【図１５】従来の防雪柵に、斜め方向からの横風が当たった状態を示す説明図である。
【図１６】図１３に示した防雪柵を用い、斜め方向からの横風が当たったときの風の流れのシミュレーションを示すグラフである。
【符号の説明】
１　　防雪板
１１　屈曲部
２　　風向器
３　　支柱
４　　整流板
１０　防雪柵
Ｗ１　垂直方向からの横風
Ｗ２　斜め方向からの横風
【図１】
2004124444.tif 000003
【図２】
2004124444.tif 000004
【図３】
2004124444.tif 000005
【図４】
2004124444.tif 000006
【図５】
2004124444.tif 000007
【図６】
2004124444.tif 000008
【図７】
2004124444.tif 000009
【図８】
2004124444.tif 000010
【図９】
2004124444.tif 000011
【図１０】
2004124444.tif 000012
【図１１】
2004124444.tif 000013
【図１２】
2004124444.tif 000014
【図１３】
2004124444.tif 000015
【図１４】
2004124444.tif 000016
【図１５】
2004124444.tif 000017
【図１６】
2004124444.tif 000018